(57)【要約】【課題】ドアと操作部が別々の構成部として分離している場合でも、ドアと操作部の前後、左右、上下の位置関係のズレや、表面の色調、光沢などの不一致の発生させず、外観品位を向上させること。【解決手段】被加熱物を加熱する加熱室１２と、被加熱物を出し入れする加熱室前面開口部１３と、加熱室１２を構成する加熱室側壁１４と、加熱室前面開口部１３を開閉するドア１５と、ドア１５を加熱室前面側壁１４に保持するヒンジ１６と、ドア１５を閉じた時に加熱室前面側壁１４に係止するドアキ−１８と、各種の操作スイッチ１９を有する操作部２０とを備え、操作部１９をドア１５に配置することにより、ドア１５と操作部２０の生産条件が合致することになるので、ドア１５と操作部２０の前後、左右、上下の位置関係と、表面の色調、光沢を完全に合致させることができる。【選択図】図１
2011158164.tif 000002
【特許請求の範囲】
【請求項１】
被加熱物を加熱する加熱室と、被加熱物を出し入れする加熱室前面開口部と、前記加熱室を構成する加熱室側壁と、加熱手段と、前記加熱室前面開口部を開閉するドアと、前記ドアを前記加熱室前面側壁に保持するヒンジと、前記ドアを閉じた時に前記加熱室前面側壁に前記ドアを係止するドアキ−と、各種の操作スイッチを有する操作部とを備え、
前記操作部は、前記ドア本体に配置し、かつ、前記ヒンジの反対側に設けられた高周波加熱装置。
【請求項２】
ドアキーは、ヒンジと操作部の間に配置した請求項１に記載の高周波加熱装置。
【請求項３】
加熱室前面側壁は、操作部の面積より広い平面部を有した請求項１または２に記載の高周波加熱装置。
【発明の詳細な説明】
【技術分野】
【０００１】
本発明は、電子レンジやオーブン電子レンジのような高周波加熱装置の操作部に関するものである。
【背景技術】
【０００２】
従来、この種の高周波加熱装置は、ドアと操作部は分離している（例えば、特許文献１参照）。
【０００３】
図２は、特許文献１に記載された従来の高周波加熱装置を示すものである。図２に示すように、機器本体１と、ドア２と、ドアハンドル４と、操作パネル６と、操作キー７から構成されている。
【先行技術文献】
【特許文献】
【０００４】
【特許文献１】特開平０７−１２７８６６号公報
【発明の概要】
【発明が解決しようとする課題】
【０００５】
しかしながら、前記従来の構成では、ドア２と操作パネル６とが、別々の構成部品として分離しているため、ドア２と操作パネル６の成型条件や組立条件などの生産条件を完全に合致させることは困難であり、ドア２と操作パネル６の前後、左右、上下の位置関係が合致しないことがある。さらに、ドア２と操作パネル６との表面の色調、光沢なども完全に合致させることは難しく、外観品位の低下を招くという課題を有していた。
【０００６】
例えば、ドア２と操作パネル６との上端が一直線上に配置されずに、１ｍｍでもずれている場合には、市場から不良品として返品されることがあり、高周波加熱装置の生産者，販売者にとって、その損失は大きなものであった。また、ドア２と操作パネル６それぞれの表面の色調、光沢などの微妙な違いにより、製品が変質や劣化したといった誤解を与える場合が生ずるという課題を有していた。
【０００７】
本発明は、前記従来の課題を解決するもので、ドアと操作パネル部の前後、左右、上下の位置関係の不一致、及び表面の色調、光沢などの不一致の発生を防止し、外観品位の良い高周波加熱装置を提供することを目的とする。
【課題を解決するための手段】
【０００８】
前記従来の課題を解決するために、本発明の高周波加熱装置は、被加熱物を加熱する加熱室と、被加熱物を出し入れする加熱室前面開口部と、加熱室を構成する加熱室側壁と、加熱室前面開口部を開閉するドアと、ドアを加熱室前面側壁に開閉自在に保持するヒンジと、ドアを閉じた時に加熱室前面側壁にドアを係止するドアキ−と、各種の操作スイッチを有する操作部とを備え、前記操作部はドア本体に配置し、かつ、ヒンジの反対側に設けたものである。
【０００９】
これによって、ドアと操作部は一体化されているので、ドアと操作部の前後、左右、上下の位置関係は完全に合致し、さらに、表面の色調、光沢なども完全に合致するので、外観品位が低下して市場から不良品として返品されるといった課題も解決する。
【００１０】
また、本発明の高周波加熱装置は、加熱室前面側壁が操作部の面積より広い平面部を有
したものである。
【００１１】
これによって、加熱室前面側壁の広い平面部に操作方法や使用上の注意を明示することができるので、電気器具の使用方法に不案内な高齢者などにとって使い勝手が向上するとともに、高周波加熱装置では金属容器を使用してはいけないことや、食品を加熱し過ぎない等の注意喚起を行なうことができる。
【発明の効果】
【００１２】
本発明の高周波加熱装置は、ドアと操作部の前後、左右、上下の位置関係と表面の色調、光沢などを合致させて外観品位を向上することができる。
【図面の簡単な説明】
【００１３】
【図１】本発明の実施の形態１における高周波加熱装置の斜視図
【図２】従来の高周波加熱装置の斜視図
【発明を実施するための形態】
【００１４】
第１の発明は、被加熱物を加熱する加熱室と、被加熱物を出し入れする加熱室前面開口部と、加熱室を構成する加熱室側壁と、加熱手段と、加熱室前面開口部を開閉するドアと、ドアを加熱室前面側壁に保持するヒンジと、ドアを閉じた時に加熱室前面側壁にドアを係止するドアキ−と、各種の操作スイッチを有する操作部とを備え、操作部をドア本体に配置し、かつ、ヒンジの反対側に設けることにより、ドアと操作部が一体化されているので、ドアと操作部の前後、左右、上下の位置関係は完全に合致し、さらに、表面の色調、光沢なども完全に合致するので、外観品位が低下して市場から不良品として返品されるといった課題を解決することができる。
【００１５】
第２の発明は、特に、第１の発明のドアキーをヒンジと操作部の間に配置することにより、加熱室前面側壁にドアを係止するドアキーが加熱室前面開口部に近接して配置することができるので、加熱室前面開口部を確実に密閉することができ、加熱室前面開口部からの熱気や蒸気を漏れにくくすることができる。
【００１６】
第３の発明は、特に、第１または第２の発明の加熱室前面側壁は、操作部の面積より広い平面部を有することにより、加熱室前面側壁の広い平面部に操作方法や使用上の注意を明示することができるので、電気器具の使用方法に不慣れな高齢者などにとって使い勝手が向上するとともに、高周波加熱装置では金属容器を使用してはいけないことや、食品を加熱し過ぎない等の注意喚起を行なうことができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における高周波加熱装置の斜視図を示すものである。
【００１９】
図１において、高周波加熱装置は、高周波加熱装置本体１１と、この高周波加熱装置本体１１の前面全体を覆うドア１５とを有している。高周波加熱装置本体１１内には、加熱室１２が設けられ、この加熱室１２内に載置した食品等の被加熱物を高周波誘電加熱する際にこの加熱室１２が使用される。
【００２０】
ドア１５は、高周波加熱装置前面から向かって左側端部をヒンジ等により、回動可能に軸支されている。ドア１５の向かって右側（ドア１５の反軸支側）に、操作部２０が設け
られ、この操作部２０には、各種の操作スイッチ１９や加熱の情報などを表示する表示装置２１が設けられている。そして、操作部２０は、ドアハンドル１７、ドアキー１８と有機的に関連して、ドア１５を構成している。
【００２１】
以上のように構成された高周波加熱装置について、以下その動作、作用を説明する。
【００２２】
まず、各種の操作スイッチ１９や表示装置２１を有する操作部２０をドア１５本体に配置する。これにより、ドア５と操作部２０とが一体化されているので、ドア１５を閉じた際にも、ドア１５と操作部２０の前後、左右、上下の位置関係は、当然完全に合致し、さらに、表面の色調、光沢なども完全に合致する。
【００２３】
以上のように、本実施の形態においては、ドア１５と操作部２０が一体化されているので、ドア１５と操作部２０の前後、左右、上下の位置関係は完全に合致し、さらに、表面の色調、光沢なども完全に合致するので、外観品位を向上することができる。
【００２４】
また、操作部２０をヒンジ１６の反対側に設けることにより、操作スイッチ１９を入力した後にドア１５を閉じる際に、操作する手の移動距離が短くて済むので、作業時間を短縮でき、作業効率を向上することもできる。
【００２５】
また、図１において、ドアキー１８をヒンジ１６と操作部２０との間に配置することにより、加熱室前面側壁１４ａにドア１５を係止するドアキー１８が、加熱室前面開口部１３に近接して配置されるので、加熱室前面開口部１３を確実に密閉することができ、加熱室前面開口部１３から、熱気や蒸気を漏れにくくすることができる。
【００２６】
また、図１において、加熱室前面側壁１４ａは、操作部２０の面積より広い平面部を有することにより、加熱室前面側壁１４ａの広い平面部に、操作方法や使用上の注意を充分に明示することができるので、電気器具の使用方法に不案内な高齢者などにとって使い勝手が向上するとともに、高周波加熱装置では金属容器を使用してはいけないことや、食品を加熱し過ぎない等の注意喚起を行なうことができる。
【産業上の利用可能性】
【００２７】
以上のように、本発明にかかる高周波加熱装置は、ドアと操作部の前後、左右、上下の位置関係と表面の色調、光沢などを合致させることが可能となるので、オーブントースター、冷蔵庫、保温庫など、収納庫とドアを必要とする機器等の用途にも適用できる。
【符号の説明】
【００２８】
１１  高周波加熱装置本体
１２  加熱室
１３  加熱室前面開口部
１４  加熱室側壁
１４ａ  加熱室前面側壁
１５  ドア
１６  ヒンジ
１７  ドアハンドル
１８  ドアキー
１９  操作スイッチ
２０  操作部
２１  表示装置
【図１】
2011158164.tif 000003
【図２】
2011158164.tif 000004